Podtech/llm-jp-corpus-v4-ja_patent huggingface dataset:
(57)【要約】【課題】洗濯物干しハンガーで、洗濯物をはずした後に、ハンガー同士が重なって、からみ合わないように、収納するための袋を付けた、ハンガー差し、を提供する。【解決手段】洗濯物干しハンガーを重ならないように、一台ずつ斜めに差し込む収納袋を、タテに並べて設けた、洗濯物干しハンガー収納袋、ハンガー差し。【選択図】図３
2008000572.tif 000002
【特許請求の範囲】
【請求項１】
（イ）洗濯物干しハンガーを、重ならないように一台ずつ斜めに差し込む収納袋
（ロ）その収納袋をタテに並べて設ける
以上のごとく構成された、洗濯物干しハンガー収納袋、ハンガー差し、
【発明の詳細な説明】
【技術分野】
【０００１】本発明は、洗濯物干しハンガーで、洗濯物をはずした後にハンガー同士が重なってからみ合わないように収納するための、袋をつけた、ハンガー差し、に関するものである。
【背景技術】
【０００２】従来、洗濯物をはずしたハンガーは、次に使用するまでの間、何台も重ねて置く事が多く、ハンガー同士がからみ合って、分けるのに手間のかかる事が多かった。
他に、洗濯物干し用小物（物干し器具）等を収納する、各種収納室のある収納庫があった、（特許文献１参照）
【特許文献１】登録実用新案第３０７４４５５号広報
【発明の開示】
【発明が解決しようとする課題】
【０００３】そのために、次のような問題点があった。
（イ）からみ合ったハンガーを、無理にはがそうとすると、引っかかった洗濯バサミや、かけ具、クサリ、等を痛めて、壊してしまう事もあった。
（ロ）からみ合わないようにしておく為には、間に何かをはさんでおくか、となり同士を離して、一台ずつの場所をとるしか無かった。
本発明は、以上の問題点を解決しようとするものである。
【課題を解決するための手段】
【０００４】洗濯物干しハンガーを重ならないように、一台ずつ差し込む収納袋を、タテに並べて設ける、そして洗濯物干しハンガーをこの袋に斜めに差し込む。
以上を特徴とする、洗濯物干しハンガー収納袋、ハンガー差しである。
【発明の効果】
【０００５】本発明品は、このハンガー差しが入るすき間があれば、どこでも吊りひもを掛けてぶらさげて置ける。使う時にとなり同士を気にせずにすぐに引き出して使用できる。
【発明を実施するための最良の形態】
【０００６】以下、本発明品の実施の形態を説明する。
（イ）ハンガー（８）を重ならないように、１台ずつ離すためにハンガー収納袋（１）の寸法を底（２）７０ｍｍ、開口部（３）１２０ｍｍ、タテ（４）２００ｍｍ、ヨコ（５）４５０ｍｍ、にして、上下の収納袋の間隔は５０ｍｍにする。
（ロ）ハンガー（８）は斜めに差し込まれ、上下のハンガーの間には、必ず袋収納（１）があるので、からみあうことは無い。
（ハ）この収納袋（１）の寸法及び取り付けの間隔は、ハンガー（８）同士がからまないギリギリの寸法であり、収納袋を５台設置すると約１５００ｍｍの高さになり、平均的な身長の人には、ハンガー（８）の出し入れが楽にできる寸法である。製作材料は、布、ビニール、ダンボール、等で製作可能である。
本発明は以上の構成からなる。
【図面の簡単な説明】
【０００７】
【図１】本発明の斜視図
【図２】本発明の側面図
【図３】収納袋にハンガーを差し込んだ一部分の、拡大斜視図
【符号の説明】
【０００８】１  収納袋
２  底
３  開口部
４  タテ
５  ヨコ
６  吊りヒモ
７  かけ具
８  ハンガー
９  洗濯バサミ
１０  クサリ
【図１】
2008000572.tif 000003
【図２】
2008000572.tif 000004
【図３】
2008000572.tif 000005
(57)【要約】【課題】この発明は、ティッシュゴミなどをより捨てやすくする、ティッシュペーパー取り付け型ゴミ箱を提示する。【解決手段】箱の内部にひっかかりをつけ、間仕切りすることによってティッシュペーパーを一緒に置ける、ティッシュペーパー取り付け型ゴミ箱である。【選択図】図３
2008000575.tif 000002
【特許請求の範囲】
【請求項１】
箱の内部にひっかかりをつけ間仕切りすることによってティッシュペーパーを一緒に置ける、ティッシュペーパー取り付け型ゴミ箱。
【発明の詳細な説明】
【技術分野】
【０００１】  この発明はティッシュゴミなどをより捨てやすくするティッシュペーパーとりつけ型ゴミ箱に関するものである。
【背景技術】
【０００２】  従来、ティッシュペーパーとゴミ箱とは別々の場所に置いて使用していた。
【発明の開示】
【発明が解決しようとする課題】
【０００３】  そのためティッシュゴミがでた場合、毎回ゴミ箱に捨てに行くか、手元に置いておくか、どちらかしなければならなかった。
本発明は、以上の問題点を解決したものである。
【課題を解決するための手段】
【０００４】  ひっかかりをつけ、間仕切りすることによって１つの箱の内部に、ティッシュペーパーを置くスペースとゴミを捨てるスペースを確保する。
以上の構成からなるティッシュペーパー取り付け型ゴミ箱である。
【発明の効果】
【０００５】  したがって、ティッシュゴミなどを、手元に置いたりわざわざ捨てに行かなくても、その場で簡単に捨てることができるようになった。
【発明を実施するための最良の形態】
【０００６】以下、本発明の実施の形態について説明をする。
（イ）箱の内部にひっかかり（１）をつける。
（ロ）ティッシュ箱出し入れ口（２）とゴミ捨て口（３）を別に作る。
本発明は以上の構成からなるティッシュペーパー取り付け型ゴミ箱である。
以下、使用法について説明する。
市販されているティッシュペーパー（６）をティッシュ箱出し入れ口（２）からいれると内部ひっかかり（１）にあたり、ティッシュスペース（４）とゴミスペース（５）にわかれる。
ティッシュなどのゴミ（７）はゴミ捨て口（３）から捨て、ゴミスペース（５）がティッシュなどのゴミ（７）でいっぱいになったら、ティッシュペーパー（６）をティッシュ箱出し入れ口（２）からとりはずし、そこからゴミ袋など（８）に処理する。
【図面の簡単な説明】
【０００７】
【図１】本発明の斜視図
【図２】本発明の原理説明図
【図３】本発明の使用説明図１
【図４】本発明の使用説明図２
【符号の説明】
【０００８】１は内部ひっかかり（間仕切り）
２はティッシュ箱出し入れ口
３はゴミ捨て口
４はティッシュスペース（上部）
５はゴミスペース（下部）
６は市販のティッシュペーパー
７はティッシュなどのゴミ
８はゴミ袋など
【図１】
2008000575.tif 000003
【図２】
2008000575.tif 000004
【図３】
2008000575.tif 000005
【図４】
2008000575.tif 000006
(57)【要約】【課題】身体洗浄の際の不満足感とかがむという姿勢が負担に成る人の、不便さを解消するための、斜目タック入りボデータオルを提供する。【解決手段】長方形タオル地の表面状に、斜目山折りタックと成る突条を、複数本設け、タオル地長手方向中央線より、二っ折りにして重なり合う、両側縁を縫い合わせ、内部が中空部と成る円筒状で、長手両端に握り部を設ける事を特徴とするボデータオル。【選択図】図２
2008000576.tif 000002
【特許請求の範囲】
【請求項１】
長方形より成る、タオルの表面状に、斜目山折りタックからなる突条を、複数本設け、長方形より内部を中空部と成る、円筒状のタオル地の長手方向を二っ折りにし重ね合せ縫合、もしくは接着し、タオル地長手方向の両端に、握り部を設ける事を特徴とする斜目タック入りボデータオル。
【発明の詳細な説明】
【技術分野】
【０００１】  本発明は、浴室、室内で兼用出来るタオルであって、背中心や足裏の洗い、にくさの、不便を取り除く斜目タック入りボデータオルである。
【背景技術】
【０００２】従来、ボデータオルは、平面長方形からなる、厚い生地、又は、生地の織り目によって、生地そのものに、凸、凹が、形成している。使用時は、平面状のタオルも二っ折りにして両手で、ひっぱりながら、使用しているが、折角厚地の生地や、凸、凹の織り込みも、ひっぱるので、伸びてしまい効果は、半減してしまう。
【発明の開示】
【発明が解決しようとする課題】
【０００３】  そのために、次のような問題点があった。
（イ）背中心をしっかり洗われているという、満足感がなかった。
（ロ）足腰を痛めている人、肥満の人、健康体の人、それぞれ足裏を洗うための、かがむ姿勢には、負担がかかっていた。
本発明は以上の問題点を解決しようとするものである。
【課題を解決するための手段】
【０００４】  長方形のタオル地を（１）とする。タオル地（１）の長辺の１辺（１ａ）より、他の辺（１ｂ）へ向けて、平行斜線状に、山折りタックを複数本設け、タックの根元は、縫製か接着により突条（２）を形成、タオル地（１）の長手方向を、二っ折りにし、両側縁（１ａ、１ｂ）を縫合、内部が中空部（４）と、する円筒状とし、長尺のタオル本体（５）の両端に、握り部（６）を設ける。
以上により、身体洗浄、美容にボデータオルとして使用する事を特徴とする、斜目タック入りボデータオルである。
【発明の効果】
【０００５】本発明は従来のボデータオルより、凸、凹が有るので、凸と成る、斜目山折りタック部分が、従来不満足だった、背中心に刺激を与える事が出来、第二の心臓と云われながら、いい加減な洗いをされている、足裏も負担を感じず、誰もが、簡単に洗え、素足に自信がもて、凸、凹の効用で、泡立ちよく、健康と美容に効果大となる。
【発明を実施するための最良の形態】
【０００６】以下、本発明の実施の形態を説明する。
（イ）長方形のタオル地（１）の表面に、長辺の１辺（１ａ）より、他の辺（１ｂ）へ向けて、平行斜線状山折りタックより形成される突条（２）を複数設ける。
（ロ）山折りタックは、根元を縫製するか接着により、突条（２）を形成する。
（ハ）タオル地（１）の長手方向の中央線（３）より、二っ折りにして、重なり合う、両側縁（１ａ、１ｂ）を縫合して、内部を中空部（４）とし、円筒状で長尺のタオル本体（５）となし、長手方向の両端に、握り部（６）を設ける。
本発明は、以上の構成よりなり、本発明を使用するときは、握り部（６）を両手で持ち、タオル本体（５）を背中に当ててこすると、タオル本体（５）の両面に形成されている突条（２）で、背中の皮膚を擦り、洗浄や摩擦することが出来る。なお、突条（２）は、タオル本体（５）の底部が、中空部（４）と成っているために、背中の皮膚をソフトにマッサージする事が出来る。タオル本体（５）を足の裏へ回して、突条（２）で足裏をマッサージする事にも適している。
【図面の簡単な説明】
【０００７】
【図１】本発明の展開正面図
【図２】本発明の斜視図
【図３】本発明の断面図
【図４】本発明の使用図
【符号の説明】
【０００８】１  タオル地
１ａ  長辺の１辺
１ｂ  他の辺
２  突条
３  長手方向の中央線
４  中空部
５  タオル本体
６  握り部
【図１】
2008000576.tif 000003
【図２】
2008000576.tif 000004
【図３】
2008000576.tif 000005
【図４】
2008000576.tif 000006
(57)【要約】      （修正有）【課題】寝た切りの人も手軽にマッサージを受けられる器具や、全身を一度にマッサージ出来る健康器具の提供。【解決手段】薄い板状の枠１にロープ２を並べて取り付け、寝た切りの人の身体下に差し込んで交互に上下動させてマッサージする器具である。全身を一度にマッサージする為に身体に合う長さにロープ取り付け枠１を作製して、ロープ２を並べて張り、上下動させることによりマッサージ効果を得る健康器具である。【選択図】図２
2008000574.tif 000002
【特許請求の範囲】
【請求項１】
ロープを枠に並べて取り付け交互に上下動させるマッサージ器具
【請求項２】
薄い本体板にロープを並べて張り身体の下に差し込める様にした請求項１のマッサージ器具
【請求項３】
風呂水の中でロープを並べて張る  請求項１のマッサージ器具
【発明の詳細な説明】
【技術分野】
【０００１】  この発明はロープを取り付け枠に横に並べて張り交互に上下動させてマッサージする健康器具である
【背景技術】
【０００２】  従来から各種のマッサージ器具等はあるが一度に全身をマッサージできる様なものは無かった    又は寝た切りの老人等が使用できる器具も無い現状である
【発明の開示】
【発明が解決しようとする課題】
【０００３】  寝た切りで入院している人や  又は自宅で寝ている人は腰や背中の血流が悪くなり床ずれ発症して多数の人が苦しんでいます  又は健康な人でも布団の上で寝たままでマッサージできるものを欲している  さらに湯船の中で使用出来るものも欲している
【問題を解決する為の手段】
【０００４】  本案はロープを多数本並べて交互に上下動させることを特長としている
ロープをつけた薄い板を寝た切りの人の横より身体下に差し込み  ロープ張る為の部品取り付けしてロープを張り電動モーターの力を利用してロープを上下動させてマッサージする様にしたものである    ロープは脱着できる様にする
【発明の効果】
【０００５】  ロープをつけた薄い板を身体の下に差し込む方法なので寝た切りの人でもマッサージが簡単容易に受けられる血流が改善し床ずれ予防と防止になる
マッサージ器本体を布団の下に差し込んでからロープを布団の上に取り付ける様にすると  マッサージ終了後にロープ緩めて置くか外して置くと次回使用するのに便利である    さらに一日に複数回使用する効果は上がる
又ロープ部分を水中に設置しモーター部は高い所に置くと温泉施設の湯船で寝たままで使用できます
２メートル位の長さの枠を作成しロープの数を増すことにより一度に全身マッサージすることが可能になります
本品は  枕や足部用として単品でも製品化できます
【発明実施する為の最良の形たい】
【０００６】    本発明の実施例について説明する
図１  にて説明すると  １は薄い本体板である    ２はロープである
３は回転させてロープを上下動させる為に段差を設けた回転体である
４は動力源のモーターである
５はロープ張った時に揺るまない用にする為のスプリングである
６はロープ張る為に使用する部品の取り付け用の穴である
８は動力伝達用のベルトである
図２  ７のロープ張り用の部品を取り付けしてロープを張った状態である
図３  ９は身体下に器具を差し入れたり引き抜く時に先が引かから無い様にする為のカバーである
使用方法としては寝た切りの人の横より本体板部分を身体の下に差し込んで７のロープ張り用の部品取り付けして  ロープを張りモーターを作動させる
ロープの上下動スピードや高低の調節  又は上下する順番は自在に設定できる
【図面の簡単な説明】
【０００７】
【図１】    本発明の斜視図である
【図２】    本発明の斜視図である
【図３】    本発明の斜視図である
【符号の説明】
【０００８】    １  薄い本体板
２  ロープ
３  段差を設けた回転体
４  モーター
５  スプリング
６  ロープ張り用の部品を取り付ける  穴
７  ロープ張り用の部品
８  ベルト
９  先の引掛り防止用のカバー
【図１】
2008000574.tif 000003
【図２】
2008000574.tif 000004
【図３】
2008000574.tif 000005
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
ロープを枠に並べて取り付け交互に上下動させる事を特長とするマツサージ器具
【請求項２】
振動させながら上下動させる請求項１のマツサージ器具
【請求項３】
薄い本体板にロープを並べて張り身体の下に差し込める様にする請求項１のマツサージ器具
【請求項４】
睡眠中も気付かない様な遅いスピードで上下動させて眠っている時もマツサージ出来る様にした請求項１のマツサージ器具
【請求項５】
ロープに突起部を設ける請求項１のマツサージ器具
【請求項６】
湯舟の中でロープを並べてはる  請求項１のマツサージ器具
(57)【要約】【課題】  本発明は、エッセンシャルオイルの香りを、供給したい箇所に１つの送風機で容易に送る事が出来る、香り局所供給方法を得る事にある。【解決手段】  送風機により送られた空気を、チャンバー装置内でエッセンシャルオイルの香りと混ぜ、香りが必要な箇所に設けた専用の風量調節弁を経由して、末端の吹き出しノズルから香りを拡散させる。チャンバー装置内には、エッセンシャルオイルを含んだ液体を貯留させるタンクと、エッセンシャルオイルを吸収拡散出来る材質の繊維質を設置した受け皿を設ける。風量調節弁は供給先の需要に応じて開閉調整を行い、必要な箇所のみ供給し不要な箇所への供給は行わない。風量調節弁から吹き出しノズルまでは、口径の小さいホースダクトで送る事により天井内等の狭い場所でも容易に施工可能なものとした。【選択図】      図１
2008000179.tif 000002
【特許請求の範囲】
【請求項１】
エッセンシャルオイルを含んだ空気を、送風機により局所へ送る事を特徴とした装置。
【請求項２】
請求項1に記載のエッセンシャルオイルを含んだ空気を、要求される局所へ送る装置において、送風機出口の空気室（チャンバーボックス）に、香り付空気の供給が要求される箇所分の穴を開け供給先専用のホースダクト接続口とし、香り付空気を局所的に送る
装置。
【請求項３】
請求項２に記載のホースダクト接続口に局所供給先専用のバルブを備え、風量調節又は供給の有無を制御する装置。
【請求項４】
請求項１及び２に記載の空気室にエッセンシャルオイルを貯留出来る受け皿を設け送風機により空気室内の風速が早くなってもエッセンシャルオイルが液状のまま直接ホースダクト内へ供給されないように、エッセンシャルオイルを吸収し蒸発拡散出来る繊維状のシートを受け皿内に設ける事を特徴とした装置。
【発明の詳細な説明】
【技術分野】
【０００１】
本発明は、アロマテラピーに関する装置で、エッセンシャルオイルの香りを要求される箇所へ局所供給する方法に関する。
【背景技術】
【０００２】
近年の老人介護施設の増加に伴い、施設内の場所（局所）によっては排泄物等の悪臭による不快感が発生する箇所がある為、エッセンシャルオイルに含まれる成分作用により悪臭の消去・空気中におけるバイ菌の死滅、及び施設内の人々への心理的感応効果を上げる事が快適性向上に有効と思われる。
【０００３】
しかしながら、従来の方法では建物内にエッセンシャルオイルの香りを供給するのに装置が複雑な事、及び設備機器の設置スペース確保困難という欠点があった。
（特許文献１）
従来の方法では局所的な供給でなく建物規模での供給によりエッセンシャルオイルの消費が多く効率が悪いという欠点があった。
【特許文献１】特開２００３−１２６２２２公報
【発明の開示】
【発明が解決しようとする課題】
【０００４】
エッセンシャルオイルの香りを、供給したい箇所に１つの送風機で容易に送る事が出来る装置の提供により、エッセンシャルオイルの消費効率の向上、局所発生の悪臭消去・空気中におけるバイ菌の死滅、及び建物空間の快適性向上を提供する事を目的としている。
【課題を解決するための手段】
【０００５】
送風機により送られる空気を、チャンバー装置内でエッセンシャルオイルの香りと混ぜ、香りが必要な箇所に設けた専用の風量調節弁を経由して、末端の吹き出しノズルから香りを拡散させる。
チャンバー装置内には、エッセンシャルオイルを含んだ液体を貯留させるタンクと、エッセンシャルオイルを吸収拡散する事が出来る材質の繊維質を設置した受け皿を設ける。
風量調節弁は供給先の需要に応じて開閉調整を行い、必要な箇所のみ供給し不要な箇所への供給は行わない。また風量調節弁から吹き出しノズルまでは、口径の小さいホースダクトで送る事により天井内等の狭い場所でも容易に施工可能なものとした。
【発明の効果】
【０００６】
本発明により、少量のエッセンシャルオイルで効率良く建物内の局所へ香りを送る事が出来た。
【発明を実施するための最良の形態】
【０００７】
本発明の香り局所供給方法は、送風機から送られた空気が空気室（チャンバー装置）内でエッセンシャルオイルの香りと混合され、香りを供給したい場所まで延長されたホースダクトの末端に設けてある吹き出しノズルから香りを供給出来る事とする。
以下、本発明の実施の形態を図に基づいて説明する。勿論、実施例により本発明が限定されたものではない。
【実施例１】
【０００８】
図１は本発明装置の平面、及び図２は立面図である。図１及び図２は送風機１から送られた空気が空気室（チャンバー装置）２内でエッセンシャルオイルの香りと混合し、供給先専用の風量調節弁３・ダクト４を経由し、吹き出しノズル５までの実施の形態を示す図である。
送風機１の羽根形状はシロッコファンを使用し静圧を高くする事によって吹き出しノズル５の取り付け位置が送風機から離れていても吹き出し可能な物とする。
送風機１からエッセンシャルオイル混合空気室２までは送風機吐き出し口と同径のダクトを使用する。各供給先専用の風量調節弁３は、手動式仕切り弁とし専用ダクトホース４は天井内等の狭いスペースでも施工が容易な内径約22φの可とう性のあるホースを使用する。
【実施例２】
【０００９】
図３は、図１の空気室（チャンバー装置）２の詳細図である。
チャンバー２はエッセンシャルオイルを含んだ液体を貯蔵した容器６と、容器から供給されたエッセンシャルオイルを吸収蒸発拡散する事が出来る受け皿形状の物７が設置可能な大きさとする。尚、チャンバー２の上部は点検可能な蓋を設ける。
図４は、供給先の数が多くなった場合、容器６の容量拡大の為チャンバーの外に容器8を設置しホースで受け皿７まで供給する事とした図面である。
【産業上の利用可能性】
【００１０】
多数の人が、居住する建物での、香りによる快適性を必要とする場合に利用される。
【図面の簡単な説明】
【００１１】
【図１】本発明を示す平面図であり、送風機から吹き出しノズルまでの空気の流れる状態を示した平面図である。
【図２】本発明を示す立面図であり、送風機から吹き出しノズルまでの空気の流れる状態を示した立面図である。
【図３】本発明を示す詳細図であり、空気室（チャンバー装置）の詳細図である。
【図４】本発明を示す詳細図であり、エッセンシャルオイルを貯蔵した容器が空気室の外に設置する場合の詳細図である。
【符号の説明】
【００１２】
１    送風機
２    空気室（チャンバー装置）
３    風量調節弁
４    ダクトホース
５    吹き出しノズル
６    エッセンシャルオイル保存容器
７    蒸発用受け皿
８    空気室外用エッセンシャルオイル貯蔵容器
【図１】
2008000179.tif 000003
【図２】
2008000179.tif 000004
【図３】
2008000179.tif 000005
【図４】
2008000179.tif 000006
(57)【要約】【課題】本発明は、エアシリンダをシーケンサではなくコントローラ・ドライバで駆動することにより、シーケンサを省き、コスト及び電力消費を低下させることを目的とする。【解決手段】本発明によるネジ締め装置は、装置本体(1)に設けられた複数のエアシリンダ(7)は、シーケンサ(3)を用いることなく、コントローラ・ドライバ(4)によって駆動される構成である。【選択図】図１
2008000821.tif 000002
【特許請求の範囲】
【請求項１】
少なくとも操作盤(2)と、前記操作盤(2)に接続されたコントローラ・ドライバ(4)と、前記コントローラ・ドライバ(4)に接続されたモータ(5)と、前記モータ(5)により駆動されるネジ回し部(6)とを備える装置本体(1)からなるネジ締め装置において、
前記装置本体(1)に設けられた複数のエアシリンダ(7)は、シーケンサ(3)を用いることなく前記コントローラ・ドライバ(4)によって駆動されることを特徴とするネジ締め装置。
【発明の詳細な説明】
【技術分野】
【０００１】
本発明は、ネジ締め装置に関し、特に、少なくとも装置本体等を駆動するための複数のエアシリンダをシーケンサを用いることなくモータを駆動するコントローラ・ドライバによって制御することにより、コスト及び消費電力を低下させるための新規な改良に関する。
【背景技術】
【０００２】
従来、用いられていたこの種のネジ締め装置としては、特許文献等は示していないが、図２で示される構成を挙げることができる。
すなわち、図２において符号１で示されるものは、操作盤２、シーケンサ３、コントローラ・ドライバ４、モータ５及びネジ回し部６からなる装置本体であり、このシーケンサ３には複数のエアシリンダ７が接続されている。
【０００３】
前述の構成において、操作盤２を介してシーケンサ３を作動させることにより、各エアシリンダ７が駆動されて装置本体１の上下動等が行われる。
前記装置本体１の上下動等が行われた後は、モータ５が駆動されてネジ回し部６によってネジ１０のネジ締め動作が行われる。
【発明の開示】
【発明が解決しようとする課題】
【０００４】
従来のネジ締め装置は、以上のように構成されていたため、次のような課題が存在していた。
すなわち、エアシリンダがシーケンサで駆動されていたため、制御系としては、シーケンサとコントローラ・ドライバを必要とし、制御系のハードウェアが大型化し、コスト及び消費電力の点からも好ましいものではなかった。
【課題を解決するための手段】
【０００５】
本発明によるネジ締め装置は、少なくとも操作盤と、前記操作盤に接続されたコントローラ・ドライバと、前記コントローラ・ドライバに接続されたモータと、前記モータにより駆動されるネジ回し部とを備える装置本体からなるネジ締め装置において、前記装置本体に設けられた複数のエアシリンダは、シーケンサを用いることなく前記コントローラ・ドライバによって駆動される構成である。
【発明の効果】
【０００６】
本発明によるネジ締め装置は、以上のように構成されているため、次のような効果を得ることができる。
すなわち、各エアシリンダの駆動は、シーケンサを用いることなく、モータを駆動するコントローラ・ドライバにより行い、シーケンサを省略することができ、ハードウェアの小型化、消費電力の低下等を達成することができる。
【発明を実施するための最良の形態】
【０００７】
本発明は、少なくとも装置本体等を駆動するための複数のエアシリンダをシーケンサを用いることなくモータを駆動するコントローラ・ドライバによって制御することにより、コスト及び消費電力を低下させるようにしたネジ締め装置を提供することを目的とする。
【実施例】
【０００８】
以下、図面と共に本発明によるネジ締め装置の好適な実施の形態について説明する。
尚、従来例と同一又は同等部分には同一符号を付して説明する。
図１において符号１で示されるものは、操作盤２、コントローラ・ドライバ４、モータ５及びネジ回し部６からなる装置本体であり、このコントローラ・ドライバ４には、装置本体１を上下動等させるための複数のエアシリンダ７が接続されている。
【０００９】
前述の構成において、操作盤２を操作し、コントローラ・ドライバ４を作動させて各エアシリンダ７を作動させると、各エアシリンダ７の作動によって装置本体１の上下動等の位置決めが行われ、その後、コントローラ・ドライバ４によって、モータ５が駆動され、減速器５ａを介してネジ回し部６が回転され、ネジ１０のネジ締めが行われる。
従って、従来のエアシリンダ７を専用に駆動するためのシーケンサ３は不要となる。
【図面の簡単な説明】
【００１０】
【図１】本発明によるネジ締め装置を示す構成図である。
【図２】従来のネジ締め装置を示す構成図である。
【符号の説明】
【００１１】
１    装置本体
２    操作盤
４    コントローラ・ドライバ
５    モータ
６    ネジ回し部
７    エアシリンダ
【図１】
2008000821.tif 000003
【図２】
2008000821.tif 000004
(57)【要約】【課題】就寝時の蚊の攻撃は、ただでさえ眠りの浅い熱帯夜の睡眠時間を減少させ疲労を蓄積させる。刺される前に室内の蚊の存在を発見し、蚊の飛行空域を限定するのは、至難の技であり、蚊を捕獲するまでに、すっかり目がさめてしまう。薬品を使用した蚊取り装置が多く使われているが、咽喉部に害があるため、出来れば蚊取り薬品は使用したくない。【解決手段】以上の課題を解決するために、蚊が飛行時に発する音紋から、室内の蚊の存在を発見し、捕獲する装置を発明した。【選択図】図１
2008000058.tif 000002
【特許請求の範囲】
【請求項１】
室内の蚊を発見し捕獲する装置。
【請求項２】
請求項１の蚊を発見する機能のみを、携帯型とした蚊の来襲警報装置
【請求項３】
蚊取りラケットに請求項１の蚊を発見する機能蚊ソナーを内蔵したもの。
【請求項４】
請求項１の捕獲部分を、厩舎用にしたもの。
【発明の詳細な説明】
【技術分野】
【０００１】
室内の蚊を発見し捕獲する装置に関する。
【背景技術】
【０００２】
潜水艦ソナーの音紋解析等の技術、蚊取りラケット。
【発明の開示】
【発明が解決しようとする課題】
【０００３】
就寝時の蚊の攻撃は、ただでさえ眠りの浅い熱帯夜の睡眠時間を減少させ疲労を蓄積させる。刺される前に室内の蚊の存在を発見し、蚊の飛行空域を限定するのは、蚊が小さいこともあり、至難の技で、蚊を捕獲するまでに、すっかり目がさめてしまう。薬品を使用した蚊取り装置が多く使われているが、咽喉部に害があるため、出来れば蚊取り薬品は使用したくない。蚊の羽音は周波数３００−４００ヘルツで、雄と雌でも異なり、蚊の種類によっても異なります。コガタアカイエカは５１２ヘルツ、シナハマダラカは３４０ヘルツ、ヒトスジシマカは５１２ヘルツ等等です。
【課題を解決するための手段】
【０００４】
蚊が飛行時に発する音紋から、室内の蚊の存在を発見し、捕獲する装置を発明した。
【発明の効果】
【０００５】
眠りの浅くなりがちな熱帯夜の熟睡を確保出来る。室内に蚊が居なくなれば、薬剤式蚊取り機の使用を停止出来、人体への健康被害が少なくなる。
【発明を実施するための最良の形態】
【０００６】
日本にいる代表的な蚊の飛行する羽音の音紋をＡＩ分析し、蚊が部屋の中にいるか探索する。出来るだけ静かな音環境が望ましいが、蚊の微かな飛行音を、他の音（バックグランド）から分離して発見する。音紋とは周波数の特徴だけでなく、音の要素の総合的な分析であり、個々の蚊の識別も可能なものである。請求項２はこの蚊を発見する機能のみを、携帯型とした蚊の来襲警報装置である。発見した蚊にはトラック（追跡）番号を付ける。何匹の蚊が室内にいるかも表示する。テスト音源による、部屋のお音響特性に合わせた補正をまず行ない。複数のソナーアレーを使用することにより、蚊の飛行空域を限定し、装置のＬＥＤで表示することにより、蚊に対する反撃が可能となる。まず蚊取りラケットで捕獲する。次に蚊取り装置で捕獲を試みる。それでも取りきれない場合は蚊取り薬剤を使用する。蚊取り装置は蚊の好む、人間の体温に近い赤外線と、出来ればドライアイス等を活用して二酸化炭素を発生させる餌を備えたワナのなかに蚊を誘導し、蚊取りラケットに使用されている、高圧電流グリッドで感電させ駆除する。蚊取り装置の赤外線発生装置の熱が、蚊の発見装置部分に伝わらないよう断熱材を装着する。トラック番号の蚊を全て捕獲したら、捕獲装置部分の作動は、自動停止させてもよいが、ソナーより新たな蚊の発見情報が入ったら直ちに捕獲装置は再稼動する。予算によって装置のセンサー数、ＬＥＤ表示灯とも増やすことは、可能である。室内に複数の室内の蚊を発見し捕獲する装置を設置し、探索精度を上げ、捕獲効率を上げることも出来る。その場合無線による連携作動が好ましい。飛行中の蚊を発見し起きる時に便利なように使用者の声に反応する、枕元灯として使う。パソコンと有線、無線で接続することも考えられる。パソコンのスピーカーが使用出来れば、蚊の嫌がる音をだすことが出来る。
【０００７】
「実施形態の効果」
出入りに伴い蚊が室内に入っていないことが、判っていれば、薬剤式蚊取り装置を事前に動かす必要がなくなる。
【０００８】
「他の実施形態」
複数のソナーアレーを使用することにより、蚊の飛行空域を限定し、ＬＥＤで表示することにより、速やかな発見と、捕獲を可能とする。
【図面の簡単な説明】
【０００９】
【図１】この発明の斜視図を示す。
【図２】この発明の構造図を示す。
【符号の説明】
【００１０】
「図１」における符号
１  集音器（ソナー）                    ２  飛行空域表示複数ＬＥＤ
３  蚊取り穴                            ４  蚊取り箱
５  操作盤                              ６  表示部
「図２」における符号
１  集音器（ソナー）                    ２  飛行空域表示複数ＬＥＤ
３  蚊の探索部分                        ４  断熱材
５  高電圧捕獲グリッド                  ６  蚊取り穴
７  蚊取り箱                            ８  おとり
９  蚊の捕獲部分                        １０  制御部分
【図１】
2008000058.tif 000003
【図２】
2008000058.tif 000004
(57)【要約】【課題】  従来アルコールを3％以上含有するゲルを食品用のゲル化剤で作ることは、ゲル化剤の析出、溶解不良等の問題があり製造不可能であった。アルコールを高濃度で含む系、即ちアルコールを50％以下で含む系においてゲル化剤が析出すること無しに離水の無いゲルを食品用ゲル化剤を使用して提供する。【解決手段】アルコールを高濃度で含む系、即ちアルコールを50％以下で含む系を、ネイティブジェランガムを0.05〜5.0％使用することでゲル化させる。 【選択図】なし【特許請求の範囲】
【請求項１】
アルコールを0.1〜50％含有するゲルであって、ネイティブジェランガムを含むゲル。
【請求項２】
アルコールを0.1〜50％含有する食用ゲルであって、ネイティブジェランガムを含むもの。
【請求項３】
ネイティブジェランガムを0.05％〜5.0％含有する請求項1記載のアルコール含有ゲル。
【発明の詳細な説明】
【技術分野】
【０００１】
本発明は、アルコールを含有するゲルに関するものである。
【背景技術】
【０００２】
従来アルコール含有ゲルに使用されるゲル化剤、例えば寒天、ゼラチン等では、アルコール濃度が3％未満の製品のみの製造であった。アルコールを高濃度で含有するゲルを調整しようとすると、ゲル化剤が溶解しない、あるいは析出する等、作製が困難であった。
【発明の開示】
【発明が解決しようとする課題】
【０００３】
解決しようとする問題点は、アルコールを高濃度に含有するゲルを作ることは困難であるという点である。
【課題を解決するための手段】
【０００４】
本発明は特に食品用ゲル化剤に着目し、上記問題点を解決すべく鋭意検討を行った結果、ネイティブジェランガムを0.05％〜5.0％使用することによって0.1〜50％のアルコールを含有するゲルを作製できることを最も主要な特徴とする。ネイティブジェランガムの使用量は好ましくは0.1％〜2.0％である。0.05％以下の使用では、必要とする強度が得られない。また、5％以上を使用するとゲル強度が強すぎて実用的ではない。
【発明の効果】
【０００５】
本発明のネイティブジェランガムを0.05％〜5.0％ゲル化剤として使用するゲルは、アルコールを0.1〜50％含有しても析出等の問題も無く製造できるという利点がある。
【発明を実施するための最良の形態】
【０００６】
アルコールを0.1％〜50％含有するゲルはネイティブジェランガムを0.05％〜5.0％使用することでなんら問題なく製造できることを実現した。
【０００７】
本発明で使用するアルコールは特に限定されるものではなく、例えば、メタノール、エタノール等の低級アルコール、ウイスキー、ブランデー、ワイン、焼酎、日本酒等が挙げられる。
【０００８】
本発明ではネイティブジェランガムを使用するが、ゲル強度上げる目的で１価あるいは2価のカチオンイオンを添加することも出来る。カチオンイオンとしては、カルシウムイオン、ナトリウムイオン、カリウムイオン等が挙げられるが、特に限定されるものではない。
【０００９】
本発明ではゲル化剤としてネイティブジェランガムを用いるが、他の水溶性高分子を併用することも出来る。水溶性高分子としては、キサンタンガム、カルボキシメチルセルルースのナトリウム塩、アルギン酸ソーダ、デンプン、デキストリン等が挙げられるが、特に限定されるものではない。
【実施例１】
【００１０】
次に本発明のアルコール含有ネイティブジェランガムのゲルについて実施例を挙げて説明するが、本発明の範囲はこれらによって、何ら限定されるものではない。
【００１１】
【表１】
2008000060.tif 000002
【００１２】
表１（本発明品１〜4及び比較品１）に示した配合処方によってアルコール含有ゲルを調整し、各々のゲルのゲル強度及び破断強度を評価した。
【００１３】
表１（実施例）に示した配合処方によってアルコールに水をあらかじめ混合し、ゲル化剤粉体を加える。よく撹拌混合した後ゼリーカップに充填しシールした後、65℃で15分間加熱した。その後、冷蔵庫で１日放置した。放置後、ＳＭＳ社Texture Analyxer
TA-XT2ｉを用いて、4ミリメートル圧縮時のゲル強度、及び破断強度を測定した。測定は室温で行い、プランジャーは円筒状で直径1/2インチを使用し、スピードは2.0mm/secで測定した。
【００１４】
【表２】
2008000060.tif 000003
【００１５】
測定結果を表２（本発明品１〜4及び比較品１）に示す。
【００１６】
表2に示したように本発明品1〜4はアルコール濃度20〜50％で離水の無いゲルが得られた。また、比較品1は、ゼリーカップの底にゲル化剤が沈降してゲル化しなかった。
【実施例２】
【００１７】
【表３】
2008000060.tif 000004
【００１８】
表3（本発明品5〜8）に示した配合処方によってアルコールにネイティブジェランガムを分散させた後、水を加えよく撹拌混合した。ゼリーカップに充填しシールした後、65℃で15分間加熱した。その後、冷蔵庫で１日放置した。放置後、ＳＭＳ社Texture Analyxer
TA-XT2ｉを用いて、4ミリメートル圧縮時のゲル強度、及び破断強度を測定した。測定は室温で行い、プランジャーは円筒状で直径1/2インチを使用し、スピードは2.0mm/secで測定した。含有ゲルを調整し、各々のゲルの離水および破断強度を評価した。
【００１９】
測定結果を表4（本発明品5〜8）に示す。
【００２０】
【表４】
2008000060.tif 000005
【００２１】
表4に示したようにジェランガムの0.4〜1.0％で離水の無いゲルが得られた。
【産業上の利用可能性】
【００２２】
例えば、メタノール、エタノール等の低級アルコール、ウイスキー、ブランデー、ワイン等の高濃度アルコール含有のゲルが作成できる。
(57)【要約】【課題】  この出願発明は、植物ステロールを含む動物用食欲増進剤に関するものであり、動物とくに動物の成育率、増体量などの点で著しい効果をもつ動物用食欲増進剤を提供することを目的とする。【解決手段】  この出願発明は、植物ステロールを含む動物用食欲増進剤に関する。【選択図】      なし【特許請求の範囲】
【請求項１】
植物ステロールを含むことを特徴とする動物用食欲増進剤。
【請求項２】
給与量が０．１〜１０ｇ／日であることを特徴とする請求項１に記載の動物用食欲増進剤。
【発明の詳細な説明】
【技術分野】
【０００１】
この出願発明は新しい動物用食欲増進剤、とくに、家畜に有効な動物用食欲増進剤に関する。
【背景技術】
【０００２】
動物、とくに家畜は必ずしも与えた飼料を十分に摂取しないため、残った飼料が品質上問題になることがあり、また、そのために順調に発育せず、また、乳牛、羊の場合には、十分な乳量が確保できないという問題がある。
【発明の開示】
【発明が解決しようとする課題】
【０００３】
この出願発明はそれらの問題を解決するものであり、動物に与えた飼料をできるだけ多く食べさせて残さないようにすること、また、動物、とくに家畜を健康に発育することにより、健康に成長し、体重を増加し、乳量を増加する動物用食欲増進剤を提供することを目的とする。
【課題を解決するための手段】
【０００４】
この出願発明は、植物ステロールを含むことを特徴とする動物用食欲増進剤に関する。
動物としては、とくに、限定されないが、家畜が好ましく、牛、羊、馬、豚、兎がより好ましく、牛がとくに好ましい。
【発明の効果】
【０００５】
この出願発明は、植物ステロールを含む動物飼料添加剤に関するものであり、動物とくに家畜の食欲を増進させる飼料添加剤、飼料であり、食欲の増進により、飼料の食べ残しがなく、その結果衛生的に動物を飼育することができ、さらに、飼料をできるだけ多く食べさせることができるので、成長を早くすることができ、また、体量、乳量などの点で著しい効果をもつ飼料添加剤、飼料を提供することができるという優れた効果がある。
動物としては、とくに、限定されないが、家畜が好ましく、牛、羊、馬、豚、兎がより好ましく、牛がとくに好ましく、乳量、体重などの点で優れた効果を達成することができる。
また、植物ステロールの一日の給与量は、０．１〜１０ｇで充分であるので、経済的に非常に優れている。
【発明を実施するための最良の形態】
【０００６】
植物ステロールの一日の給与量は、０．１〜１０ｇが好ましく、０．３〜３ｇがより好ましく、０．５〜２ｇがとくに好ましい。
【０００７】
飼料としては、例えば、玉蜀黍、コウリャン、大豆粕、グルテンミールなどが好ましい。また、乾草、サイレージなどと一緒に与えることができる。
【０００８】
その他の添加物としては、ビタミン、ミネラル、食塩、炭酸カルシウムなどが好ましい。
【０００９】
以下に、この出願発明を具体的に説明する。
【実施例１】
【００１０】
植物ステロール０．６ｇ、シリカ０．４ｇを含む動物用食欲増進剤を牛１頭に対して給与期間７月３１日〜８月３１日与えた。
その結果はつぎのとおりである。
【表１】
2008000007.tif 000002
この結果、残食飼料は給与と共に減少し、給与の中止と共に増加した。また、給与開始より１０日程度から摂取量が増加して１頭当りの乳量が増加した。
その後、給与を中止すると摂取量、乳量とも低下した。
残飼料は、給与してから次回給与までの食べ残しの数量である。
【実施例２】
【００１１】
植物ステロール１．２ｇ、シリカ０．８ｇを含む動物用食欲増進剤を牛１頭に対して給与期間５月２３日〜７月３日与えた。
その結果はつぎのとおりである。
【表２】
2008000007.tif 000003
この結果、残飼料は給与と共に減少し、給与の中止と共に増加した。また、給与開始より１４日程度から摂取量が増加して１頭当りの乳量が増加した。
その後、給与中止後はやや摂取量、乳量とも低下する傾向がみられた。
残飼料は、給与してから次回給与までの食べ残しの数量である。
【実施例３】
【００１２】
植物ステロール０．６ｇ、シリカ０．４ｇを含む動物用食欲増進剤を牛１頭に対して給与期間６月１日〜７月２５日与えた。
その結果はつぎのとおりである。
【表３】
2008000007.tif 000004
この結果、乳量については５月と比較すると大きな差はないが、給与中止後に乳量の低下がみられた。
残飼料は、給与してから次回給与までの食べ残しの数量である。
【実施例４】
【００１３】
植物ステロール１．２ｇ、シリカ０．８ｇを含む動物用食欲増進剤を牛１頭に対して給与期間７月３日〜９月３日（生後月齢２２ケ月〜２３ケ月の黒毛和牛去勢牛）与えた。
その結果はつぎのとおりである。
【表４】
2008000007.tif 000005
上段は、植物ステロールを含む動物用食欲増進剤を給与した試験区で下段は給与しない対照区である。
この結果、残飼料は給与と共に減少し、給与の中止と共に増加したが、給与しない試験区では残飼料は変わらなかった。また、給与したものでは、乳牛と同様で１０日程度で摂取量が増加して対照のものと比較すると１頭当りの摂取量が最大で１．１ｋｇ／１頭／日の差が出た。
残飼料は、給与してから次回給与までの食べ残しの数量である。
この摂取量は、全体の摂取量ｋｇ／１頭当りの摂取量ｋｇを示している
【産業上の利用可能性】
【００１４】
この出願発明の動物用食欲増進剤を与えることにより、飼料の残存量が減少し、乳量も多くなり、体重も増加するという優れた効果があるので、非常に優れた動物用食欲増進剤を提供するものである。
(57)【要約】      （修正有）【課題】それぞれ別個の狭いカウンター、広いカウンターを必要に応じて選択できるキャビネットを得ることをその課題とするもので、カウンターに段差が生じたりする恐れがなく、而も強度面に問題の生じる恐れがないキャビネットを得んとするものである。【解決手段】下部収納ユニット１の上面カウンター２後部に上部収納ユニット３を設けてなるキャビネットにおいて、上部収納ユニット３の前面に下部をヒンジ結合し裏面がカウンター面としてなる扉板４を設け、上部収納ユニット３の前面の扉板４をヒンジ結合により回動し下部収納ユニット１の上面カウンター２上に扉板４表面を重合すると共に扉板４の裏面カウンター面を下部収納ユニット１の上面カウンター２よりさらに延設してなるキャビネットである。【選択図】図１
2008000313.tif 000002
【特許請求の範囲】
【請求項１】
下部収納ユニットの上面カウンター後部に上部収納ユニットを設けてなるキャビネットにおいて、上部収納ユニットの前面に下部をヒンジ結合し裏面がカウンター面としてなる扉板を設け、上部収納ユニットの前面の扉板をヒンジ結合により回動し下部収納ユニットの上面カウンター上に扉板表面を重合すると共に扉板の裏面カウンター面を下部収納ユニットの上面カウンターよりさらに延設してなるキャビネット。
【発明の詳細な説明】
【技術分野】
【０００１】
本発明は、下部収納ユニットの上面カウンター後部に上部収納ユニットを設けてなるキャビネットに関するもので、狭いカウンターと広いカウンターを要望に応じて選択できるキャビネットに関するものである。
【０００２】
さらに詳しくは、上部収納ユニットの前面に下部をヒンジ結合し裏面がカウンター面としてなる扉板を設け、上部収納ユニットの前面の扉板をヒンジ結合により回動し下部収納ユニットの上面カウンター上に扉板表面を重合すると共に扉板の裏面カウンター面を下部収納ユニットの上面カウンターよりさらに延設してなるキャビネットに関するものである。
【背景技術】
【０００３】
従来から折りたたみ式拡張カウンターを有するキャビネットは知られている（特許文献１）。この折りたたみ式拡張カウンターは折りたたんだものを展開して広いカウンターにするものである。しかしながら、折りたたんだものを展開してなるカウンターでは折りたたみ部に段差が生じやすい欠点があり、又、折りたたみ部の強度にも問題が生じる恐れがあった。
【特許文献１】特開２００３−６１７６８号公報（図1）
【発明の開示】
【発明が解決しようとする課題】
【０００４】
本発明は、それぞれ別個の狭いカウンター、広いカウンターを必要に応じて選択できるキャビネットを得ることをその課題とするものである。
【課題を解決するための手段】
【０００５】
上記課題を解決するために、本発明に係るキャビネットは、請求項１に記載した如く、下部収納ユニットの上面カウンター後部に上部収納ユニットを設けてなるキャビネットにおいて、上部収納ユニットの前面に下部をヒンジ結合し裏面がカウンター面としてなる扉板を設け、上部収納ユニットの前面の扉板をヒンジ結合により回動し下部収納ユニットの上面カウンター上に扉板表面を重合すると共に扉板の裏面カウンター面を下部収納ユニットの上面カウンターよりさらに延設してなるものである。
【発明の効果】
【０００６】
請求項１に記載のキャビネットは、下部収納ユニットの上面カウンター後部に上部収納ユニットを設けてなるために、上部収納ユニット設置部以外の上面カウンターを使用できる。
【０００７】
又、上部収納ユニットの前面に下部をヒンジ結合し裏面がカウンター面としてなる扉板を設け、上部収納ユニットの前面の扉板をヒンジ結合により回動し下部収納ユニットの上面カウンター上に扉板表面を重合すると共に扉板の裏面カウンター面を下部ユニットの上面カウンターよりさらに延設してなるために、扉板の裏面カウンター面を広いカウンターとして使用できる。
【０００８】
而も、広いカウンターとして使用できる裏面カウンター面は扉板の裏面そのものであり、折りたたんだものを展開したものでないために段差が生じたり、折りたたみ部の強度に問題が生じたりする恐れがないものである。
【発明を実施するための最良の形態】
【０００９】
以下、本発明の実施形態について図面を参照して詳細に説明する。図１は本発明におけるキャビネットの実施例の斜視図、図２は図１に示す実施例の使用状態の側面図である。図１、図２において、１は下部収納ユニット、２は上面カウンター、３は上部収納ユニット、４は扉板である。
【００１０】
下部収納ユニット１は天面に上面カウンター２を有している。５は下部収納ユニットの扉である。下部収納ユニット１の上面カウンター２の後部に上部収納ユニット３が設けられている。上部収納ユニット３は前面に扉板４を設け、扉板４は裏面が裏面カウンター面６となっている。扉板４をヒンジ結合により回動し下部収納ユニット１の上面カウンター２上に扉板４表面を重合すると共に扉板４の裏面カウンター面６を下部ユニット１の上面カウンター２よりさらに延設すると広いカウンター面が得られる。
【００１１】
７はステーであり、扉板４を保持している。広いカウンター面は扉板４の裏面カウンター面６そのものであり、折りたたんだものを展開したものでないために段差を生じる恐れがないものである。さらに折りたたみ部がないために強度的に問題が生じる恐れがないものである。又、扉板４は下部収納ユニット１の上面カウンター２上に重合支持されているために支持強度が大きいものである。
【図面の簡単な説明】
【００１２】
【図１】本発明にかかるキャビネットの実施例の斜視図。
【図２】図１に示す実施例の使用状態の側面図。
【符号の説明】
【００１３】
１        下部収納ユニット
２        上面カウンター
３        上部収納ユニット
４        扉板
５        扉
６        裏面カウンター面
７        ステー
【図１】
2008000313.tif 000003
【図２】
2008000313.tif 000004
(57)【要約】【課題】電子回路、傾斜センサー等を内蔵したペンダントに最初に装着者の正しい姿勢における傾斜角を記憶させ、姿勢が崩れたときに発生する傾斜角の誤差を検出してその結果を振動によって知らせる姿勢矯正用ペンダントを提供する。【解決手段】ペンダント本体１に電子回路２、傾斜センサー３、電池４、振動モーター５、スイッチ６を組み込み、それを装着することにより、姿勢を崩したとき瞬時に振動によって自分で認識、矯正できるようにする。【選択図】図１
2008000387.tif 000002
【特許請求の範囲】
【請求項１】
ペンダントに電子回路と傾斜センサー、振動モーター、電池、スイッチ等を組み込み、それを装着した本人の姿勢の崩れを傾斜センサーで検出して振動で知らせる姿勢矯正用ペンダント。
【発明の詳細な説明】
【技術分野】
【０００１】
本発明は、装着者に姿勢の崩れを知らせるペンダントに関するものである。
【背景技術】
【０００２】
従来は自分の姿勢の確認方法は皆無に等しく、鏡を見て確認するか人から注意を受ける事等しかなかった。
【発明の開示】
【発明が解決しようとする課題】
【０００３】
姿勢を矯正するにはそれが崩れた瞬間に自分で認識する必要があり、従来の鏡を見る或いは人から注意を受ける事を常時期待するのは現実的には不可能である。
【課題を解決するための手段】
【０００４】
本発明は、常時装着可能なペンダント本体１に電子回路２、傾斜センサー３、電池４、振動モーター５、スイッチ６を内蔵し、最初に装着者の正しい姿勢における地面に対する傾斜角（Ｙ軸、必要に応じてＸ軸共）を基準値として記憶してから、その装着者の姿勢の変化による同傾斜角の誤差に応じて振動モーターを駆動し振動によってリアルタイムに姿勢の崩れを知らすことが出来る事を特徴とする。
【発明の効果】
【０００５】
良い姿勢の維持にはエネルギーが必要であり、一番必要なものは本人の良い姿勢を維持しようという意識である。本発明のペンダントはその意識が薄れた時に注意を促してくれる、良い姿勢をより多くの時間保つことによって良い姿勢の維持に必要な筋肉が鍛えられ、肩こりや腰痛からも開放されるという利点がある。
【発明を実施するための最良の形態】
【０００６】
使用状況に応じて傾斜センサーの感度を切り替え可能にし、常用出来る様に出来る限り小型化し余分なコード類も省略した。
【実施例】
【０００７】
ペンダント本体１に電子回路２、傾斜センサー３、電池４、振動モーター５、スイッチ６を組み込む。
【産業上の利用可能性】
【０００８】
単なる個人的な姿勢の矯正のみならず、各職場における操作機器の配置位置（特に高さ）、使用する道具類の見直し等、労働者が良い姿勢を維持したまま働き得る環境作りのものさしとしての用途にも適用できる。
【図面の簡単な説明】
【０００９】
【図１】本発明の正面内部構造図である。
【図２】本発明の側面内部構造図である。
【符号の説明】
【００１０】
１    ペンダント本体
２    電子回路
３    傾斜センサー
４    電池
５    振動モーター
６    スイッチ
【図１】
2008000387.tif 000003
【図２】
2008000387.tif 000004